(57)【特許請求の範囲】
【請求項１】
天井梁と床梁との間に立設された間柱に壁面板が固定された壁面板取付け構造であって、前記間柱は、その上下端が曲折されて形成された取付片が天井梁と床梁に固定され、この間柱の取付片と間柱との曲折部が、前記取付片及び間柱本体よりも幅狭で変形し易くされていることを特徴とする壁面板取付け構造。
【請求項２】
天井梁と床梁との間に立設された間柱に壁面板が固定された壁面板取付け構造であって、前記間柱にはリベット挿通孔が形成され、間柱に形成されたリベット挿通孔の近傍にはリベット挿通孔を囲む馬蹄形状に切欠されたスリットが形成され、前記壁面板と間柱とはリベット挿通孔に挿通されたリベットにより固定されていることを特徴とする壁面板取付け構造。
【請求項３】
前記間柱には中央部の長手方向にスリットが形成されていることを特徴とする請求項１に記載の壁面板取付け構造。
【請求項４】
天井梁と床梁との間に立設された間柱に壁面板が固定された壁面板取付け構造であって、前記間柱は中央部の長手方向に切り欠かれて分割され、この分割された間柱は相接して天井梁と床梁との間に立設されていることを特徴とする壁面板取付け構造。
【発明の詳細な説明】
【０００１】
【発明の属する技術分野】
この発明は、硬質木片板などの無機質板状体、コンクリート板、無機質発泡体（例えば、軽量気泡コンクリート板、ＡＬＣ板、発泡ガラス板）などの壁面板を建物に取り付けた壁面板取付け構造に関する。
【０００２】
【従来の技術】
無機質板状体、コンクリート板、無機質発泡体などの壁面板を建物に取付けた壁面板取付け構造としては、例えば、特開昭６１−５１４２号公報には、フレームの壁面板固定面に複数の係止爪を設け、この複数の係止爪によって壁面板の外周部にフレームを固定して壁パネルを構成し、このフレームを天井梁と床梁の間に立設される間柱に固定した構成の壁面板取付け構造が知られている。
【０００３】
ところで、前記の壁面板取付け構造では、無機質板状体、コンクリート板、無機質発泡体などの壁面板に係止爪が打ち込まれてフレームが係止され、このフレームは天井梁と床梁の間に立設された間柱にリベットによって一体に固定されているが、この間柱の上下端は溶接、リベット打ちなどによって建物構造体の天井梁と床梁に剛接合されている。
【０００４】
【発明が解決しようとする課題】
このように、間柱は建物構造体の天井梁と床梁に剛接合され、この間柱に係止爪を有するフレームがリベットによって一体に固定されているので、建物構造体が大地震などによって大きく揺れる場合には、建物構造体の揺れ変動が天井梁と床梁から間柱に直接伝わり、この揺れ振動はフレームに伝わって係止爪が大きく振動する。
このため、係止爪が打ち込まれた壁面板の周辺部はこの揺れ振動によって亀裂が生じ、壁面板が損傷するおそれがあった。
【０００５】
この発明は、上記の点に鑑み、大地震などによる大きな揺れ振動によっても、無機質板状体、コンクリート板、無機質発泡体などの壁面板に亀裂などの損傷が生じない、壁面板取付け構造を提供することを目的とする。
【０００６】
【課題を解決するための手段】
請求項１記載の発明の壁面板取付け構造は、天井梁と床梁との間に立設された間柱に壁面板が固定された壁面板取付け構造であって、前記間柱は、その上下端が曲折されて形成された取付片が天井梁と床梁に固定され、この間柱の取付片と間柱との曲折部が、前記取付片及び間柱本体よりも幅狭で変形し易くされていることを特徴としている。
【０００７】
請求項２記載の発明の壁面板取付け構造は、天井梁と床梁との間に立設された間柱に壁面板が固定された壁面板取付け構造であって、前記間柱にはリベット挿通孔が形成され、間柱に形成されたリベット挿通孔の近傍にはリベット挿通孔を囲む馬蹄形状に切欠されたスリットが形成され、前記壁面板と間柱とはリベット挿通孔に挿通されたリベットにより固定されていることを特徴としている。
【０００８】
請求項３記載の発明の壁面板取付け構造は、前記間柱には中央部の長手方向にスリットが形成されていることを特徴としている。
【０００９】
請求項４記載の発明の壁面板取付け構造は、天井梁と床梁との間に立設された間柱に壁面板が固定された壁面板取付け構造であって、前記間柱は中央部の長手方向に切り欠かれて分割され、この分割された間柱は相接して天井梁と床梁との間に立設されていることを特徴としている。
【００１１】
（作用）請求項１記載の壁面板取付け構造においては、間柱は、その上下端が曲折されて形成された取付片が天井梁と床梁に固定され、この間柱の取付片と間柱との曲折部が間柱本体よりも変形し易くされているので、建物構造体が大地震などによって大きく揺れる場合にも、建物構造体の揺れ変動が天井梁と床梁から間柱に伝わる際、間柱の取付片と間柱との曲折部が変形し、この曲折部において揺れ変動の応力が分散される。したがって、壁面板にまで伝わる揺れ変動の応力は小さいものとなり、壁面板には亀裂が生ぜず、壁面板が損傷するおそれがない。
【００１２】
請求項２記載の壁面板取付け構造においては、間柱に形成されたリベット挿通孔の近傍にはリベット挿通孔を囲む馬蹄形状に切欠されたスリットが形成され、前記壁面板と間柱とはリベット挿通孔に挿通されたリベットにより固定されているので、建物構造体が大地震などによって大きく揺れる場合にも、建物構造体の揺れ変動が天井梁と床梁から間柱に伝わっても、間柱のリベット挿通孔の近傍のスリットに囲まれた部分が変形し、この部分において揺れ変動の応力が分散される。したがって、壁面板にまで伝わる揺れ変動の応力は小さいものとなり、壁面板には亀裂が生ぜず、壁面板が損傷するおそれがない。
【００１３】
請求項３記載の壁面板取付け構造においては、間柱には中央部の長手方向にスリットが形成されているので、建物構造体が大地震などによって大きく揺れる場合にも、建物構造体の揺れ変動が天井梁と床梁から間柱に伝わっても、間柱は上記スリットによって変形し易くなり、この部分において揺れ変動の応力が分散される。したがって、壁面板にまで伝わる揺れ変動の応力は小さいものとなり、壁面板には亀裂が生ぜず、壁面板が損傷するおそれがない。
【００１４】
請求項４記載の壁面板取付け構造においては、間柱は中央部の長手方向に切り欠かれて分割され、この分割された間柱は相接して天井梁と床梁との間に立設されているので、それぞれの間柱は従来の間柱よりほぼ半分の幅となって変形し易くなり、建物構造体が大地震などによって大きく揺れる場合にも、建物構造体の揺れ変動が天井梁と床梁から間柱に伝わっても、間柱が変形して揺れ変動の応力が分散される。したがって、壁面板にまで伝わる揺れ変動の応力は小さいものとなり、壁面板には亀裂が生ぜず、壁面板が損傷するおそれがない。
【００１７】
【発明の実施の形態】
先ず、請求項１記載の発明の壁面板取付け構造の実施の形態について図１の実施例を参照しながら説明する。
【００１８】
図１は、請求項１記載の発明の壁面板取付け構造の第１実施例を示すものであって、（イ）は壁面板の取付け状態を示す斜視図、（ロ）は（イ）のＡ部の横断面図、（ハ）は（イ）のＢ部の縦断面図、（ニ）は間柱の上端部の斜視図である。
図１において、１は天井梁、２は床梁、３は間柱、４は壁面板、６はネイルプレート、７はリベットである。
【００１９】
天井梁１と床梁２は、図示していない建物構造体を構成するものであって、この建物構造体としては、例えば、特公昭５８−３７４６２号公報に記載されているような柱と梁からほぼ箱形に形成された建物ユニットがあげられ、建物構造体は基礎５などの下部構造体上に配設されている。
【００２０】
間柱３はコ字状形鋼からなり、その上端は、曲折されて天井梁１への取付片３１が形成されている。その曲折部３２の幅Ｗ2 は、間柱本体のウェブ幅Ｗ1 が約９０ｍｍであるのに対して約５０ｍｍとほぼ半分の幅とされて変形し易いものとされている。なお、従来は曲折部の幅は約７０ｍｍである。
そして、取付片３１はそこに穿設された取付孔３３に図示していないリベットで天井梁１に固定されている。なお、３４はリベット挿通孔である。
【００２１】
図示していないが、間柱３の下端も、上端と同様、曲折されて床梁２への取付片が形成され、その曲折部の幅も、間柱本体の幅よりほぼ半分の幅とされて変形し易いものとされている。そして、取付片には床梁２への取付孔が形成されていてリベットで床梁２に固定されている。
【００２２】
壁面板４は、硬質木片板などの無機質板状体、コンクリート板、無機質発泡体（例えば、軽量気泡コンクリート板、ＡＬＣ板、発泡ガラス板）などからなり、天井梁１と床梁２との間に立設された間柱３に、片面に複数の係止爪６１を備えたネイルプレート６を介して固定されている。
【００２３】
すなわち、ネイルプレート６の片面に設けられた複数の係止爪６１が壁面板４に打ち込まれることによって、ネイルプレート６を壁面板４に係止するとともに、このネイルプレート６をリベット挿通孔３４に挿通したリベット７によって間柱３に固定している。
【００２４】
前記した請求項１記載の発明の壁面板取付け構造の第１実施例においては、間柱３の上端の取付片３１は、その曲折部３２の幅Ｗ2 が間柱本体の幅Ｗ1 のほぼ半分の幅とされて変形し易いものとされている。また、図示していないが、間柱３の下端の取付片も、上記取付片３１と同様、間柱本体のウェブの幅よりほぼ半分の幅とされて変形し易いものとされているから、建物構造体が大地震などによって大きく揺れる場合にも、その揺れ変動が天井梁１と床梁２から間柱３に伝わる際、曲折部３２が変形して揺れ変動の応力が分散される。
【００２５】
したがって、壁面板４にまでに伝わる揺れ変動の応力は小さいものとなり、ネイルプレート６の係止爪６１が打ち込まれた壁面板４の周辺部には亀裂が生ぜず、壁面板４が損傷するおそれがないものとなっている。
すなわち、層間変形試験の結果、従来の間柱（肉厚２．３ｍｍ、ウェブ幅９０ｍｍ、取付片の屈曲部幅７０ｍｍ）を使用した場合、変形量（ａ／Ｈ）が１／８０のときヘアークラックが生じたのに対し、この第１実施例においては、変形量（ａ／Ｈ）が１／４０のときヘアークラックが生じた。
【００２６】
続いて、請求項１記載の発明の壁面板取付け構造の第２実施例を図２を参照して説明する。
図２は請求項１記載の発明の壁面板取付け構造の第３実施例において用いられる間柱の上端部の斜視図である。
【００２７】
間柱３ａはコ字状形鋼からなり、その上端は、スリット３５が入れられて二分されて曲折され、二つの取付片３１ａが形成されている。それぞれの曲折部３２ａの幅Ｗ3 は、間柱本体のウェブ幅Ｗ1 が約９０ｍｍであるに対してそれぞれ約３０ｍｍと狭いものとされて変形し易いものとされている。なお、３４ａはリベット挿通孔である。
【００２８】
図示していないが、間柱３ａの下端も、上端と同様、スリットが入れられて二分されて曲折され、二つの取付片が形成されており、それぞれの曲折部の幅は、間柱本体のウェブ幅が約９０ｍｍであるに対してそれぞれ約３０ｍｍと狭いものとされて変形し易いものとされている。
【００２９】
そして、二つに分割された取付片３１ａはそこに穿設された取付孔３３ａに図示していないリベットで天井梁に固定され、壁面板が片面に複数の係止爪を備えたネイルプレートを介して固定され、下端の図示していない二つの分割された取付片はそこに穿設された取付孔に図示していないリベットで床梁に固定されて間柱３ａが立設され、この間柱３ａに、壁面板が片面に複数の係止爪を備えたネイルプレートを介して固定されることは、前記した第１実施例と同じであるので説明を省略する。
【００３０】
この第２実施例においては、取付片３１ａは二つに分割されて曲折部が変形し易いものとなっているので、建物構造体が大地震などによって大きく揺れる場合にも、その揺れ変動が天井梁と床梁から間柱３ａに伝わる際、曲折部３２ａが変形して揺れ変動の応力が分散され、壁面板にまでに伝わる揺れ変動の応力は小さいものとなり、壁面板には亀裂が生ぜず、損傷するおそれがないものとなっている。
【００３１】
すなわち、層間変形試験の結果、従来の間柱（肉厚２．３ｍｍ、ウェブ幅９０ｍｍ、取付片の屈曲部幅７０ｍｍ）を使用した場合、変形量（ａ／Ｈ）が１／８０のときヘアークラックが生じたのに対し、この第２実施例においては、変形量（ａ／Ｈ）が１／４０のときでもヘアークラックが生じなかった。
【００３２】
続いて、請求項１記載の発明の壁面板取付け構造の第３実施例を図３を参照して説明する。
図３は請求項１記載の発明の壁面板取付け構造の第３実施例において用いられる間柱の上端部の斜視図である。
【００３３】
間柱３ｂはコ字状形鋼からなり、その上端は曲折されて取付片３１ｂが形成されている。その曲折部３２ｂの幅Ｗ4 は、間柱本体のウェブ幅Ｗ1 約９０ｍｍに近接しているが、その部分の厚さが従来の厚さ２．３ｍｍよりも薄い１．６ｍｍとされて変形し易いものとされている。なお、３４ｂはリベット挿通孔である。
【００３４】
図示していないが、間柱３ｂの下端も、上端と同様、曲折されて取付片が形成されている。その曲折部の厚さが従来の厚さ２．３ｍｍよりも薄い１．６ｍｍとされて変形し易いものとされている。
【００３５】
そして、上端の取付片３１ｂはそこに穿設された取付孔３３ｂに図示していないリベットで天井梁に固定され、壁面板が片面に複数の係止爪を備えたネイルプレートを介して固定され、下端の図示していない取付片も、そこに穿設された取付孔に図示していないリベットで床梁に固定されて間柱３ｂが立設され、この間柱３ｂに、壁面板が片面に複数の係止爪を備えたネイルプレートを介して固定されることは、前記した第１実施例と同じであるので説明を省略する。
【００３６】
この第３実施例においては、間柱３ｂの上下の曲折部３２ｂが薄くて変形し易いものとなっているので、建物構造体が大地震などによって大きく揺れる場合にも、その揺れ変動が天井梁と床梁から間柱３ｂに伝わる際、曲折部３２ｂが変形して揺れ変動の応力が分散され、壁面板にまでに伝わる揺れ変動の応力は小さいものとなり、壁面板には亀裂が生ぜず、損傷するおそれがないものとなっている。
【００３７】
すなわち、層間変形試験の結果、従来の間柱（肉厚２．３ｍｍ、ウェブ幅９０ｍｍ、取付片の屈曲部幅７０ｍｍ）を使用した場合、変形量（ａ／Ｈ）が１／８０のときヘアークラックが生じたのに対し、この第３実施例においては、変形量（ａ／Ｈ）が１／６０のときにヘアークラックが生じた。
【００３８】
次に、請求項２記載の発明の壁面板取付け構造の実施の形態について図４の実施例を参照しながら説明する。
【００３９】
図４は、請求項２記載の発明の壁面板取付け構造の実施例を示すものであって、（イ）はこの発明の壁面板取付け構造において用いられる間柱の部分斜視図、（ロ）は壁面板の取付け状態を示す横断面図である。
図４において、３ｃは間柱、３５は馬蹄形状に切欠されたスリット、４ｃは壁面板、６ｃはネイルプレート、７ｃはリベットである。
【００４０】
間柱３ｃはコ字状形鋼からなり、そのウェブ部分にリベット挿通孔３４ｃが形成されている。このリベット挿通孔３４ｃの近傍にはリベット挿通孔３４ｃを囲む馬蹄形状に切欠されたスリット３５が形成されている。
図示していないが間柱３ｃの上下端は曲折されて取付片が形成され、この取付片が溶接やリベット打ちなどによって天井梁と床梁に取り付けられている。なお、この取付片の曲折部は従来通りの幅や厚さであるが、前記の図１〜図３に記載したとおり幅狭のもの、薄肉のものであってもよい。
【００４１】
そして、間柱３ｃのリベット挿通孔３４ｃにリベット７ｃを挿通し、壁面板４ｃに複数の係止爪６１ｃを打ち込んだネイルプレート６ｃを固定することによって、壁面板４ｃを間柱４ｃに固定することは、前記した第１実施例と同じである。
【００４２】
この請求項２記載の発明の壁面板取付け構造の実施例においては、リベット挿通孔３４ｃの近傍にはリベット挿通孔３４ｃを囲む馬蹄形状に切欠されたスリット３５が形成されているので、建物構造体が大地震などによって大きく揺れる場合にも、その揺れ変動が天井梁と床梁から間柱３ｃに伝わる際、馬蹄形状に切欠されたスリット３５に囲まれた部分が変形して揺れ変動の応力が分散され、壁面板４ｃにまでに伝わる揺れ変動の応力は小さいものとなり、壁面板４ｃには亀裂が生ぜず、損傷するおそれがないものとなっている。
【００４３】
すなわち、層間変形試験の結果、従来の間柱（肉厚２．３ｍｍ、ウェブ幅９０ｍｍ、取付片の屈曲部幅７０ｍｍ）を使用した場合、変形量（ａ／Ｈ）が１／８０のときヘアークラックが生じたのに対し、この実施例においては、変形量（ａ／Ｈ）が１／４０のときにヘアークラックが生じた。
【００４４】
次に、請求項３記載の発明の壁面板取付け構造の実施の形態について図５の実施例を参照しながら説明する。
【００４５】
図５は、請求項３記載の発明の壁面板取付け構造の実施例を示すものであって、（イ）はこの発明の壁面板取付け構造において用いられる間柱の正面図、（ロ）は壁面板の取付け状態を示す横断面図である。
図５において、３ｄは間柱、３６は長手方向のスリット、４ｄは壁面板、６ｄはネイルプレート、７ｄはリベットである。
【００４６】
間柱３ｄはコ字状形鋼からなり、そのウェブ部分の中央部に長手方向のスリット３６が形成されている。このスリット３６の長さや間隔は適宜決定される。間柱３ｃの上下端はそれぞれ曲折されて取付片３１ｄが形成されている。この取付片３１ｄは、図示していないが、溶接やリベット打ちなどによって天井梁と床梁に取り付けられている。なお、この取付片３１ｄの曲折部は、幅を前記の図１〜図３に記載したような幅狭のものにする。
【００４７】
そして、間柱３ｄのリベット挿通孔３４ｄにリベット７ｄを挿通し、壁面板４ｄに複数の係止爪６１ｄを打ち込んだネイルプレート６ｄを固定することによって、壁面板４ｄを間柱４ｄに固定していることは、前記した第１実施例と同じである。
【００４８】
この請求項３記載の発明の壁面板取付け構造の実施例においては、間柱３ｄのウェブ部分の中央部に長手方向のスリット３６が形成されているので、建物構造体が大地震などによって大きく揺れる場合にも、その揺れ変動が天井梁と床梁から間柱３ｄに伝わる際、間柱３ｄのウェブ部分の中央部分が変形して揺れ変動の応力が分散され、壁面板４ｄにまでに伝わる揺れ変動の応力は小さいものとなり、壁面板４ｄには亀裂が生ぜず、損傷するおそれがないものとなっている。
【００４９】
次に、請求項４記載の発明の壁面板取付け構造の実施の形態について図６の実施例を参照しながら説明する。
【００５０】
図６は、請求項４記載の発明の壁面板取付け構造の実施例を示すものであって、（イ）はこの発明の壁面板取付け構造において用いられる間柱の正面図、（ロ）は壁面板の取付け状態を示す横断面図である。図６において、３ｅは間柱、３７は間柱を長手方向に切り欠いて分割した分割線、４ｅは壁面板、６ｅはネイルプレート、７ｅはリベット、８はボルト・ナットである。
【００５１】
間柱３ｅはコ字状形鋼のウェブ部分の中央部を長手方向に長手方向に切欠３７した左右対象の二本のＬ字状形鋼からなっており、ボルト・ナット８で互いに連結されている。この間柱３ｅのそれぞれの上下端はそれぞれ曲折されて取付片３１ｅが形成されている。この取付片３１ｅは、図示していないが、溶接やリベット打ちなどによって天井梁と床梁に取り付けられている。
【００５２】
そして、間柱３ｅのリベット挿通孔３４ｅにリベット７ｅを挿通し、壁面板４ｅに複数の係止爪６１ｅを打ち込んだネイルプレート６ｅを固定することによって、壁面板４ｅを間柱３ｅに固定していることは、前記した第１実施例と同じである。
【００５３】
この請求項４記載の発明の壁面板取付け構造の実施例においては、間柱３ｅは従来の間柱のウェブ部分の中央部を長手方向に分割３７したウェブ幅の狭いものからなっているので、建物構造体が大地震などによって大きく揺れる場合にも、その揺れ変動が天井梁と床梁から間柱３ｅに伝わる際、間柱３ｅが変形して揺れ変動の応力が分散され、壁面板４ｅにまでに伝わる揺れ変動の応力は小さいものとなり、壁面板４ｅには亀裂が生ぜず、損傷するおそれがないものとなっている。
【００５４】
すなわち、層間変形試験の結果、従来の間柱（肉厚２．３ｍｍ、ウェブ幅９０ｍｍ、取付片の屈曲部幅７０ｍｍ）を使用した場合、変形量（ａ／Ｈ）が１／８０のときヘアークラックが生じたのに対し、この実施例においては、変形量（ａ／Ｈ）が１／４０のときでもヘアークラックが生じなかった。
【００５５】
次に、壁面板取付け構造について図７の参考例を参照しながら説明する。
【００５６】
図７は、壁面板取付け構造の参考例を示すものであって、（イ）はこの壁面板取付け構造において用いられる間柱の正面図、（ロ）は壁面板の取付け状態を示す横断面図である。図７において、３ｆは間柱、４ｆは壁面板、６ｆはネイルプレート、７ｆはリベットである。
【００５７】
間柱３ｆはコ字状形鋼からなっており、この間柱３ｆのそれぞれの上下端はそれぞれ曲折されて取付片３１ｆが形成されている。この取付片３１ｆは、図示していないが、溶接やリベット打ちなどによって天井梁と床梁に取り付けられている。
【００５８】
この間柱３ｆのウェブ部分の両サイドに長手方向に沿って一個のリベット挿通孔３４ｆと複数個の長孔状のリベット挿通孔３４ｇが形成されている。上記リベット挿通孔３４ｆは、挿通されるリベット７ｆと実質的に遊びがない大きさとされ、他方の複数個のリベット挿通孔３４ｇは長孔とされ、リベット７ｆが遊びのある状態で挿通される大きさとされている。
【００５９】
そして、間柱３ｆのリベット挿通孔３４ｆ、３４ｇにリベット７ｆを挿通し、壁面板４ｆに複数の係止爪６１ｆを打ち込んだネイルプレート６ｆを固定することによって、壁面板４ｆを間柱４ｆに固定していることは、前記した第１実施例と同じである。
【００６０】
この壁面板取付け構造の参考例においては、間柱３ｆには、挿通されるリベット７ｆと実質的に遊びがない大きさのリベット挿通孔３４ｆと、リベット７ｆが遊びのある状態で挿通される大きさの長孔状の複数個のリベット挿通孔３４ｇが形成されているので、リベット挿通孔３４ｆに挿通されるリベット７ｆによって壁面板の取付け位置が定められ、建物構造体が大地震などによって大きく揺れる場合にも、その揺れ変動が天井梁と床梁から間柱３ｆに伝わっても、他のリベット挿通孔３４ｇに挿通されたリベット７ｆは遊びがあるために、ここで壁面板４ｆにまで伝わる揺れ変動の応力は分散されて小さいものとなり、壁面板４ｆには亀裂が生ぜず、壁面板が損傷するおそれがないものとなっている。
【００６１】
すなわち、層間変形試験の結果、従来の間柱（肉厚２．３ｍｍ、ウェブ幅９０ｍｍ、取付片の屈曲部幅７０ｍｍ）を使用した場合、変形量（ａ／Ｈ）が１／８０以上ではヘアークラックが生じたのに対し、この実施例においては、変形量（ａ／Ｈ）が１／４０のときでもヘアークラックが生じなかった。
【００６２】
図８は、壁面板取付け構造の参考例を示すものであって、（イ）はこの壁面板取付け構造を示す横断面図、（ロ）は（イ）の部分拡大横断面図、（ハ）はネイルプレートを壁面板に取り付けた状態を示す部分説明図である。図８において、３ｇは間柱、４ｇは壁面板、６ｇはネイルプレート、７ｇはリベットである。
【００６３】
間柱３ｇはコ字状形鋼からなっており、この間柱３ｇのそれぞれの上下端はそれぞれ曲折されて取付片（図示せず）が形成されている。この取付片３１は図示していないが、溶接やリベット打ちなどによって天井梁と床梁に取り付けられている。そして、間柱３ｇのウェブ部分の両サイドに長手方向に沿って複数個のリベット挿通孔３４ｈが形成されている。
【００６４】
ネイルプレート６ｇには、片面に複数の係止爪６１ｇと、リベット挿通孔６２ｇが形成されている。このリベット挿通孔６２ｇは、図８（ハ）に示すように、長孔状とされることによって、挿通されるリベット７ｇとは遊びが生ずる大きさとされている。
【００６５】
上記係止爪６１ｇを壁面板４ｇの裏面の所定箇所に打ち込んで（一般的には裏面の周縁部に間隔をおいて打ち込む）、ネイルプレート６ｇを壁面板４ｇに固定するとともに、リベット７ｇを間柱３ｆのリベット挿通孔３４ｈとネイルプレート６ｆのリベット挿通孔６２ｇに挿通して壁面板４ｆを間柱４ｆに固定している。
【００６６】
なお、９は、間柱３ｇとネイルプレート６ｇとの間に介在されるポリエチレン発泡シート等の合成樹脂発泡シートである。また、１０は、ネイルプレート６ｇの裏面の壁面板４ｇに形成した凹陥部に埋設したポリスチレン発泡体等の合成樹脂発泡体であり、この合成樹脂発泡体１０中にリベット７ｇの先端部が挿入されて係止される。
【００６７】
この壁面板取付け構造の参考例においては、建物構造体の揺れ変動が天井梁と床梁から間柱３ｇに伝わっても、その揺れ変動の応力変化は、リベット７ｇがネイルプレート６ｇのリベット挿通孔６２ｇに遊びがある状態で挿通されていることによって緩和されるので、固定されているネイルプレート６ｇの周辺の壁面板４ｇにも亀裂が生ぜず、壁面板４ｇが損傷するおそれがなく、また、ネイルプレート６ｇが壁面板４ｇから剥離するおそれがないものとなっている。
【００６８】
すなわち、層間変形試験の結果、実質的にリベットと遊びのない従来の丸孔状のリベット挿通孔のネイルプレートを使用した場合、変形量（ａ／Ｈ）が１／８０以上ではヘアークラックが生じたのに対し、この実施例においては、変形量（ａ／Ｈ）が１／４０のときでもヘアークラックやリベット７ｇの浮き上がり減少が生じなかった。
【００６９】
【発明の効果】
請求項１記載の壁面板取付け構造においては、間柱の取付片と間柱との曲折部が間柱本体よりも変形し易くされているので、建物構造体が大地震などによって大きく揺れる場合にも、建物構造体の揺れ変動が天井梁と床梁から間柱に伝わる際、間柱の取付片と間柱との曲折部が変形し、この曲折部において揺れ変動の応力が分散される。したがって、壁面板にまで伝わる揺れ変動の応力は小さいものとなり、壁面板には亀裂が生ぜず、壁面板が損傷するおそれがないものとなっている。
【００７０】
請求項２記載の壁面板取付け構造においては、間柱に形成されたリベット挿通孔の近傍にはリベット挿通孔を囲む馬蹄形状に切欠されたスリットが形成され、前記壁面板と間柱とはリベット挿通孔に挿通されたリベットにより固定されているので、建物構造体が大地震などによって大きく揺れる場合にも、建物構造体の揺れ変動が天井梁と床梁から間柱に伝わっても、間柱のリベット挿通孔の近傍のスリットに囲まれた部分が変形し、この部分において揺れ変動の応力が分散される。したがって、壁面板にまで伝わる揺れ変動の応力は小さいものとなり、壁面板には亀裂が生ぜず、壁面板が損傷するおそれがないものとなっている。
【００７１】
請求項３記載の壁面板取付け構造においては、間柱には中央部の長手方向にスリットが形成されているので、建物構造体が大地震などによって大きく揺れる場合にも、建物構造体の揺れ変動が天井梁と床梁から間柱に伝わっても、間柱は上記スリットによって変形し易くなり、この部分において揺れ変動の応力が分散される。したがって、壁面板にまで伝わる揺れ変動の応力は小さいものとなり、壁面板には亀裂が生ぜず、壁面板が損傷するおそれがないものとなっている。
【００７２】
請求項４記載の壁面板取付け構造においては、間柱は中央部の長手方向に切り欠かれて分割され、この分割された間柱は相接して天井梁と床梁との間に立設されているので、それぞれの間柱は従来の間柱よりほぼ半分の幅となって変形し易くなり、建物構造体が大地震などによって大きく揺れる場合にも、建物構造体の揺れ変動が天井梁と床梁から間柱に伝わっても、間柱が変形して揺れ変動の応力が分散される。したがって、壁面板にまで伝わる揺れ変動の応力は小さいものとなり、壁面板には亀裂が生ぜず、壁面板が損傷するおそれがないものとなっている。
【図面の簡単な説明】
【図１】請求項１記載の発明の壁面板取付け構造の第１実施例を示すものであって、（イ）は壁面板の取付け状態を示す斜視図、（ロ）は（イ）のＡ部の横断面図、（ハ）は（イ）のＢ部の縦断面図、（ニ）は間柱の上端部の斜視図である。
【図２】請求項１記載の発明の壁面板取付け構造の第２実施例において用いられる間柱の上端部の斜視図である。
【図３】請求項１記載の発明の壁面板取付け構造の第３実施例において用いられる間柱の上端部の斜視図である。
【図４】請求項２記載の発明の壁面板取付け構造の実施例を示すものであって、（イ）間柱の部分斜視図、（ロ）はは壁面板の取付け状態を示す横断面図である。
【図５】請求項３記載の発明の壁面板取付け構造の実施例を示すものであって、（イ）は間柱の正面図、（ロ）は壁面板の取付け状態を示す横断面図である。
【図６】請求項４記載の発明の壁面板取付け構造の実施例を示すものであって、（イ）は間柱の正面図、（ロ）は壁面板の取付け状態を示す横断面図である。
【図７】壁面板取付け構造を示すものであって、（イ）はこの壁面板取付け構造において用いられる間柱の正面図、（ロ）は壁面板の取付け状態を示す横断面図である。
【図８】壁面板取付け構造を示すものであって、（イ）はこの壁面板取付け構造を示す横断面図、（ロ）は（イ）の部分拡大横断面図、（ハ）はネイルプレートを壁面板に取り付けた状態を示す部分説明図である。
【符号の説明】
１    天井梁
２    床梁
３、３ａ、３ｂ、３ｃ、３ｄ、３ｅ、３ｆ、３ｇ    間柱
３１、３１ａ、３１ｂ、３１ｄ、３１ｅ、３１ｆ    取付片
３４、３４ａ、３４ｂ、３４ｃ、３４ｄ、３４ｅ、３４ｆ、３４ｇ、３４ｈ
リベット挿通孔
４、４ｃ、４ｄ、４ｅ、４ｆ、４ｇ    壁面板
６、６ｃ、６ｄ、６ｅ、６ｆ、６ｇ    ネイルプレート
６１、６１ｃ、６１ｄ、６１ｅ、６１ｆ、６１ｇ    係止爪
６２ｇ    リベット挿通孔
７、７ｃ、７ｄ、７ｅ、７ｆ、７ｇ    リベット
【図１】
0004405055.tif 000002
【図２】
0004405055.tif 000003
【図３】
0004405055.tif 000004
【図４】
0004405055.tif 000005
【図５】
0004405055.tif 000006
【図６】
0004405055.tif 000007
【図７】
0004405055.tif 000008
【図８】
0004405055.tif 000009